【事件の表示】
　特願２０１８−１４７１９２「装飾品の止め具」拒絶査定不服審判事件〔令和　２年　１月２３日出願公開、特開２０２０−　１１０１０〕について、次のとおり審決する。
【結　論】
　本件審判の請求は、成り立たない。
【理　由】
第１　手続の経緯
　この出願は、平成３０年７月１９日の出願であって、平成３０年８月１７日に手続補正書が提出（受付日：平成３０年８月２０日）され、平成３０年１０月１５日付けの拒絶理由の通知に対し、平成３０年１１月１日に意見書が提出（受付日：平成３０年１１月２日）され、平成３１年１月７日付けの拒絶理由の通知に対し、平成３１年１月２１日に意見書が提出（受付日：平成３１年１月２２日）されたが、平成３１年３月６日付けで拒絶査定がなされ、これに対して平成３１年４月１日に審判請求書が提出（受付日：平成３１年４月２日）されて拒絶査定不服審判の請求がされたものである。その後、当審において令和２年３月２３日付けで拒絶の理由が通知され、令和２年４月６日に意見書が提出（受付日：令和２年４月７日）されたものである。
　
第２　本願発明
　この出願の請求項に係る発明は、願書に添付して提出した特許請求の範囲の請求項１に記載された事項により特定されるとおりのものであるところ、その請求項１に係る発明（以下、「本願発明」という。）は、次のとおりのものである。
　
「装飾品の片方の鎖状の端部に設けた凹部と、他方の鎖状の端部に設けた凸部とを噛合わせて係止する方式の止め具にあって、前記凹部と前記凸部には、これらを正しい噛合い位置に誘導できる部位に、互いに吸着する磁石の各一方を、あるいは磁石とこれに吸着される金属材を、それぞれ吸着部材として設けた装飾品鎖状の端部の止め具において、前記凹部が、一対の顎部材を開口／閉口可能に軸支したバネ閉じ式の鰐口クリップであり、かつ、前記凸部が一対の開口状態の顎部材間に嵌入して係止される係止部材であり、かつ、前記鰐口クリップの内部における一対の顎部材間に一方の吸着部材を設け、かつ、前記係止部材の前方に他方の吸着部材を設け、かつ、前記鰐口クリップの内部に設けた吸着部材が、前記一対の顎部材のいずれか一方に設けられていて、かつ、前記鰐口クリップの内部に設けた吸着部材の前方には、前記係止部材の吸着部材が、挿入できるホルダーを備えた装飾品鎖状の端部の止め具。」
　
第３　拒絶の理由
　令和２年３月２３日付けで当審が通知した拒絶理由は、次のとおりである。
　この出願の請求項１に係る発明は、その出願前に日本国内又は外国において、頒布された又は電気通信回線を通じて公衆に利用可能となった以下の引用文献１に記載された発明、引用文献２に記載された事項及び引用文献３，４に記載されたような周知の事項に基いて、又は引用文献５に記載された発明、引用文献２に記載された事項及び引用文献３，４に記載されたような周知の事項に基いて、その出願前にその発明の属する技術の分野における通常の知識を有する者（以下、「当業者」という。）が容易に発明をすることができたものであるから、特許法第２９条第２項の規定により特許を受けることができない。
　
引用文献１：特開２０１３−８１５２４号公報
引用文献２：特開２０１２−１９２１５７号公報
引用文献３：特開２００６−２６００３号公報
引用文献４：実願昭５２−８２７８４号（実開昭５４−９７９０号）のマイクロフィルム
引用文献５：特許第４０４４５９８号公報
　
第４　引用文献の記載及び引用発明
１．引用文献１の記載及び引用発明
（１）引用文献１の記載
　令和２年３月２３日付け拒絶理由通知で引用された、この出願前に頒布された刊行物である、引用文献１には、図面とともに、次の記載がある（下線は、当審で付与した。以下、同様である。）。
　
ア．「【００１０】
　（１）　プラグに設けられた突片を、本体に設けられた挿入孔に挿入して、
前記プラグと前記本体とを接続する装身具の留め金
　前記プラグには、前記突片の根元に段差が設けられ、
　
前記本体には、前記挿入孔に挿入された前記突片の根元の段差に引っ掛かって、前記突片の前記挿入孔からの脱落を防止する脱落防止機構が設けられ
　さらに前記プラグには、前記突片の先端に磁石が設けられ、
　前記本体には、前記挿入孔の奥に、前記突片の磁石を引き寄せる磁石が設けられる。
【００１１】
　（１）によれば、プラグには、突片の根元に段差が設けられ、本体には、挿入孔に挿入された突片の根元の段差に引っ掛かって、突片の挿入孔からの脱落を防止する脱落防止機構が設けられていることにより、突片を挿入孔に挿入して装着することができる。この構成において、さらにプラグには、突片の先端に磁石が設けられ、本体には、挿入孔の奥に、突片の磁石を引き寄せる磁石が設けられることにより、挿入孔の近傍に突片を持ち来たして相対位置を可変するだけで、磁石による磁力のガイドにより突片をスムーズに挿入孔に差し込むことができ、これにより磁石の力を有効に利用して簡易に装着することができる。従ってプラグの差し込みに係る作業を簡略化し、従来に比して一段と使い勝手を向上することができる。」
イ．「【００１９】
　〔第１実施形態〕
　図１は、図３との対比により、本発明の第１実施形態に係る
装身具であるネックレス
ネックレス２１は、チェーン２の一端が留め金２３のプラグ２４に接続され、チェーン２の他端が留め金２３の本体２５に接続される
【００２０】
　ここでプラグ２４は、根元部分に段差２４Ｃが設けられた円柱形状による棒状の突片２４Ａを有し、この突片２４Ａの根元側端にチェーン２の一端が接続される。本体２５は、全体が丸みを帯びた長方体形状により作成され、その短辺側の端面にチェーン２の他端が接続され、この端面に対向する端面にプラグ２４の突片２４Ａを挿入する挿入孔２５Ａが設けられる。
【００２１】
　
プラグ２４は、突片２４Ａの先端に磁石２４Ｂが設けられ、本体２５は、この磁石２４Ｂを吸着するように、挿入孔２５Ａの奥に磁石が設けられる。
【００２２】
　すなわちネックレスは、チェーンを首に巻きつけて背中側で留め金を操作して装着する。これによりネックレスは、何ら目視により留め金を確認することなく、経験と勘によりプラグの突片を本体の挿入孔に挿入することになる。これにより図３について上述した従来構成の留め金では、挿入孔が設けられている本体の端面に突片の先端を押し付けながら、突片の位置を可変して挿入孔に差し込むことになる。しかしながらこの実施形態の
留め金２３では、突片２４Ａの先端に設けた磁石２４Ｂを、挿入孔２５Ａの奥に設けた磁石が引き寄せる
ウ．「【００２４】
　すなわち
本体２５は、図示しないバネにより付勢されて、回動軸２６により回動可能に外ケース２８に内ケース２７が配置される。
バネによる付勢に抗するように、外ケース２８及び内ケース２７を押圧することにより、挿入孔２５Ａに突片２４Ａを差し込む開口が挿入孔２５Ａに作成され、またこのように挿入孔２５Ａに突片２４Ａを差し込んだ状態で、外ケース２８及び内ケース２７の押圧を中止することにより、突片２４Ａに設けられた段差２４Ｃに内ケース２７が部分的に噛み合ってプラグ２４の脱落を防止する。
【００２５】
　図２（ａ）は、外ケース８を上端面で切り取って示す留め金２３の断面図であり、図２（ｂ）は、この図２（ａ）をＣ−Ｃ線により切り取って示す断面図である。なおこの図２では各部の丸みを省略して示す。留め金２３は、回動軸２６にコイルバネ３０が配置され、このコイルバネ３０により付勢されて外ケース２８に内ケース２７が配置されて一体化される。なおこの実施形態において、この回動軸２６は、金属によるパイプ材が適用され、このパイプ材の両端にカシメによりつばを作成して脱落しないように内ケース２７、コイルバネ３０と一体に外ケース２８に取り付けられる。これによりこの留め金３は、簡易な作業により組み立てられる。
留め金２３は、このコイルバネ３０による付勢により、内ケース２７の挿入孔２５Ａ側端が突片２４Ａの段差２４Ｃに噛み合い、これによりプラグ２４の脱落を防止する。またこのコイルバネ３０による付勢に抗するように押圧して、外ケース２８に対して内ケース２７を回動させることにより、突片２４Ａの段差２４Ｃに噛み合う部位を退避させて、プラグ２４を抜き差しすることができる。
、本体２５側の磁石３１は、外ケース２８に保持される。
エ．「【００２６】
　以上の構成によれば、
プラグには、突片の根元に段差が設けられ、本体には、挿入孔に挿入された突片の根元の段差に引っ掛かって、突片の挿入孔からの脱落を防止する脱落防止機構が設けられていることにより、突片を挿入孔に挿入して装着することができる。これによりプラグが本体より外れ難くして、種々のアクセサリーを楽しむことができる。
【００２７】
　すなわち従来に比して装着作業を簡略化できることにより、
高齢者でも容易に着脱してアクセサリーを楽しむことができる。
段差を利用して脱落を防止することができ、これにより外れ難い構成としてアクセサリーを安心して楽しむことができる。
オ．記載事項ア．によると、装身具の留め金は、プラグと本体とを接続しているといえ、また、記載事項イ．によると、装身具は、ネックレス２１であり、留め金２３は、ネックレス２１のチェーン２の一端に接続されたプラグ２４と、チェーン２の他端に接続された本体２５を備えているといえる。すると、ネックレス２１の留め金２３は、ネックレス２１のチェーン２の他端に接続された本体２５と、チェーン２の一端に接続されたプラグ２４とを接続しているといえる。
カ．記載事項イ．及びウ．によると、プラグ２４の突片２４Ａの先端に設けた磁石２４Ｂを、本体２５の挿入孔２５Ａの奥に設けた磁石３１が引き寄せているといえる。また、本体２５の挿入孔２５Ａの奥に磁石３１を設け、プラグ２４の突片２４Ａの先端に磁石２４Ｂを設け、本体２５の挿入孔２５Ａの奥に設けた磁石３１が、外ケース２８に保持されているといえる。
　
キ．記載事項ウ．によると、本体２５は、コイルバネ３０により付勢されて、回動軸２６により回動可能に外ケース２８内に内ケース２７が配置されているといえる。また、記載事項ア．及びエ．によると、本体２５には、プラグ２４に設けられた突片２４Ａの根元の段差２４Ｃに引っ掛かる脱落防止機構が設けられており、本体２５は、プラグ２４に設けられた突片２４Ａの根元の段差２４Ｃに引っ掛かるものであるといえる。
　
ク．記載事項ウ．によると、留め金２３は、コイルバネ３０による付勢に抗するように、本体２５の外ケース２８及び内ケース２７を押圧して、挿入孔２５Ａにプラグ２４の突片２４Ａを差し込み、外ケース２８及び内ケース２７の押圧を中止すると、コイルバネ３０による付勢により、内ケース２７の挿入孔２５Ａ側端が突片２４Ａの段差２４Ｃに噛み合い、また、外ケース２８及び内ケース２７を押圧して、外ケース２８に対して内ケース２７を回動させることにより、突片２４Ａの段差２４Ｃに噛み合う部位を退避させて、プラグ２４を抜き差しするものである。すると、プラグ２４は、コイルバネ３０による付勢に抗するように外ケース２８及び内ケース２７が押圧された本体２５の挿入孔２５Ａに突片２４Ａが差し込まれ、コイルバネ３０による付勢により、突片２４Ａの段差２４Ｃに内ケース２７の挿入孔２５Ａ側端が噛み合うものであるといえる。
（２）引用発明
　前記引用文献１の記載事項ア．〜ク．及び図面の図示内容を総合すると、引用文献１には、次の発明（以下、「引用発明」という。）が記載されていると認められる。
　
「ネックレス２１のチェーン２の他端に接続された本体２５と、前記チェーン２の一端に接続されたプラグ２４とを接続しているネックレス２１の留め金２３であって、前記プラグ２４の突片２４Ａの先端に設けた磁石２４Ｂを、前記本体２５の挿入孔２５Ａの奥に設けた磁石３１が引き寄せるネックレス２１の留め金２３において、前記本体２５は、コイルバネ３０により付勢されて、回動軸２６により回動可能に外ケース２８内に内ケース２７が配置され、前記プラグ２４に設けられた前記突片２４Ａの根元の段差２４Ｃに引っ掛かるものであり、かつ、前記プラグ２４は、前記コイルバネ３０による付勢に抗するように前記外ケース２８及び前記内ケース２７が押圧された前記本体２５の前記挿入孔２５Ａに前記突片２４Ａが差し込まれ、前記コイルバネ３０による付勢により、前記突片２４Ａの前記段差２４Ｃに前記内ケース２７の挿入孔２５Ａ側端が噛み合うものであり、かつ、前記本体２５の前記挿入孔２５Ａの奥に前記磁石３１を設け、かつ、前記プラグ２４の前記突片２４Ａの先端に前記磁石２４Ｂを設け、かつ、前記本体２５の前記挿入孔２５Ａの奥に設けた前記磁石３１が、前記外ケース２８に保持されているネックレス２１の留め金２３。」
　
２．引用文献２の記載
　令和２年３月２３日付け拒絶理由通知で引用された、この出願前に頒布された刊行物である、引用文献２には、図面とともに、次の記載がある。
　
（１）「【０００６】
　上記課題を解決するために創案された本発明のクラスプは、
装飾用鎖状部材の端部に設けられる第１の磁気誘導部材と、筐体の内部に設けられる第２の磁気誘導部材とが磁力で互いに吸着されて係止するクラスプ
　
（２）「【００２０】
　図１に示すように
クラスプ１は、アクセサリの珠玉４の一端に取り付けられる筐体２と、珠玉４の他端に取り付けられる挿入部３を備えている
【００２１】
　
筐体２は
第１のフレーム２０と第２のフレーム２１が支軸２２を中心に相互にピボット運動できるような構造になっている。
【００２２】
　図２を参照して、クラスプ１の内部構造について説明する。
挿入部３のマグネットホルダ３１の内部にはマグネット３２が埋め込まれている。
筐体２の内部には、支軸２２に連結されたマグネットホルダ２６が配置されている。このマグネットホルダ２６は、内部にマグネット２７が埋め込まれ、所定の長さを有する円柱形状の空間であるマグネット挿入部２６ａを有している。
マグネットホルダ２６のマグネット２７および挿入部３のマグネット３２の対向する面の極性は相互に逆、すなわち相互に引き付け合う状態になっている。
【００２３】
　
マグネットホルダ２６のマグネット挿入部２６ａは、マグネットホルダ３１が挿入
【００２４】
　
筐体２の内部にはバネ２５が配置されている。このバネ２５により、図２（ａ）において第１のフレーム２０は支軸２２を基準に右回りに、そして第２のフレーム２１は支軸２２を基準に左回りに付勢されている。
　
（３）「【００２６】
　図２（ａ）に示すように、最初に、ユーザが挿入部３と筐体２とを所定の距離だけ相互に近接させる。次に、図２（ｂ）に示すように、筐体２のスリット部２４の上下部分（図２（ｂ）の矢印の箇所と方向）に力を加えると、筐体２の第１のフレーム２０と第２のフレーム２１とがバネ２５の付勢力に逆らう方向に支軸２２を中心にピボット回転する。そして、スリット部２４が画定する空間が閉じられ、開口部２３が上下に分離し、その間に画定される空間領域が拡大する。
【００２７】
　
開口部２３の空間領域が拡大すると
挿入部３が筐体２の内部に設けられたマグネットホルダ２６のマグネット挿入部２６ａに挿入され、マグネット２７とマグネット３２が吸着して係止される。
【００２８】
　そして、図２（ｄ）に示すように、
筐体２に加えていた力を解放すると、開口部２３が元の大きさに戻り、マグネットホルダ３１が筐体２の内部に収容され、クラスプ１の接続が完了する
【００２９】
　図２（ｄ）に示すように、クラスプ１の接続が完了した状態のマグネットホルダ３１と筐体２の開口部２３の間にはギャップＧ（間隙）が形成されている。これは、挿入部３が外部より引っ張られ、マグネット２７との係止が解除されても開口部２３からマグネットホルダ３１が脱落することを防止するためである。もしギャップがない場合、マグネット２７、３２同士が吸着した状態で外部から挿入部３が引っ張られると、開口部２３が拡大して脱落する可能性がある。
【００３０】
　従って、本発明の第1の実施形態によれば、マグネット２７にマグネット３２が係止する状態が筐体２の内部に収容されることになり、
挿入部３が外部から引っ張られても、筐体２からマグネットホルダ３１が脱落することなく、クラスプの係止状態が維持される。
クラスプを接続する場合、筐体内部でのマグネット同士の係止と、筐体による係止の二重の係止により、クラスプが不意に外れることがなく、安定した係止状態を保つことができる。
　
（４）「【００３２】
　
クラスプ１の接続を解除する場合
引き抜く際、挿入部３が第２のマグネットホルダ２６のマグネット挿入部２６ａの内壁部分によってガイドされ、その結果、挿入部３は筐体２の中心軸上に保持された状態で移動する。
挿入部３は筐体２の開口部２３の周辺に引っ掛かるなどの不都合を生じること無く、安定して筐体２から引き抜かれる。
　
３．引用文献３の記載
　令和２年３月２３日付け拒絶理由通知で引用された、この出願前に頒布された刊行物である、引用文献３には、図面とともに、次の記載がある。
（１）「【０００３】
　そのため磁石を使用する接続金具として、例えば特開２００３−６１７１７号が提案されている。しかし、同号の発明のように
磁気ペアを突き合わせた構造では、図４上に示すように磁気吸着方向の逆方向に引き離す力Ｆ１に対しては有効であるが、図４下に示すように傾斜方向へ引き離す力Ｆ２に対しては点Ｏを中心に回転するため有効性が低く、簡単に外れてしまう
（２）「【００１２】
　以下、図示の実施形態を参照して本発明に係る装身具類の磁気クラスプについてより詳細に説明する。
装身具類１０は、図３に例示したようなネックレス状のもので、装身部材１１の端部を接続して環状にするために、本発明の磁気クラスプ１２が適用される。
【００１３】
　図１は、本発明に係る磁気クラスプ１２の１実施例を示すもので、
磁気吸着可能な磁気ペアは磁石から成る１対の磁気片１３、１４から成る
（３）「【００１５】
　
ヨーク１９が接続ケース１５、１６の外側に設けられている。
一方の接続ケース（例示の場合右側ケース１６）の外側に嵌め合わせてろう付けにより一体化し、他方の接続ケース１５を端部開口２１に受け入れるようになっている。一方の接続ケース１６に取り付けたヨーク１９に、他方の接続ケース１５を差し込む方法は
左右へ引き離したときにヨークに対して他方の接続ケースが傾斜することがないので、常に設定されている磁気吸着力で保持されており、偶然には外れ難くなる嵌合
４．引用文献４の記載
　令和２年３月２３日付け拒絶理由通知で引用された、この出願前に頒布された刊行物である、引用文献４には、図面とともに、次の記載がある。
（１）「２．実用新案登録請求の範囲
　
鎖状体の両端には一方の外周面と他方の内周面とを嵌合させる一対の結合具を備えたネツクレス
一方の結合具には希土類コバルト磁石の一端面が結合具の一端とほぼ一致する如く内装され
他方の結合具には前記一方の結合具が吸引嵌合される如く希土類コバルト磁石が内装されている
（２）「本考案は
係脱自在なネツクレスに関するもので、その両端結合部に希土類コバルト磁石を内装する
（３）「従来ネツクレスの両端の係止は、ネジ止方式やリングかけ方式が用いられているが、かかる方式はその係脱が煩わしいものであつた。そこで
永久磁石の吸引力を利用した結合具も種々提案されているが、
装着中にはずれる等必ずしも完全な結合具とは云えなかった。
（４）「第１図は本考案のネツクレスの要部を示す断面図である。
鎖状体４，４’の両端に設けられた断面円形又は四角形の結合具１，１’は希土類コバルト磁石２，２’、および希土類コバルト磁石を保持かつ保護するプラスチツク、金属又は貴金属からなる保護カバー３，３’からなつている。
結合具１の保護カバー３の外周面は結合具１’の保護カバー３’の内周面に嵌合する様に各々テーパが設けられており、嵌合後には結合具１に内装された希土類コバルト磁石２の端面と結合具１’に内装された希土類コバルト磁石２’は端面がほぼ一致するごとくに配置されている。
　本考案は以上の様な構成とすることにより希土類コバルト磁石の強い吸引力によつてネツクレスの係止時には容易に各々の端面を一致させることができ、かっ
係止後は各々の希土類コバルト磁石の吸引力と各々の保護カバーの接触力により十分強固に係止し得るものである。
第５　対比
　以下、本願発明と引用発明とを対比する。
　引用発明の「ネックレス２１」、「チェーン２」及び「留め金２３」は、それぞれ本願発明の「装飾品」、「鎖状」及び「止め具」に相当するとともに、引用発明の「ネックレス２１の留め金２３」は、「装飾品鎖状の端部の止め具」に相当する。引用発明の「本体２５」は、プラグ２４の突片２４Ａが差し込まれる挿入孔２５Ａを備えるから、本願発明の「凹部」に相当し、引用発明の「プラグ２４」は、突片２４Ａを本体２５の挿入孔２５Ａに差し込むものであるから、本願発明の「凸部」に相当する。また、引用発明の「チェーン２の他端に接続された本体２５」及び「前記チェーン２の一端に接続されたプラグ２４」において、チェーン２の他端又は一端に、それぞれ本体２５又はプラグ２４が接続されているから、チェーン２の他端又は一端には、それぞれ本体２５又はプラグ２４が設けられているということができ、引用発明の「チェーン２の他端に接続された本体２５」及び「前記チェーン２の一端に接続されたプラグ２４」における「接続された」は、本願発明の「片方の鎖状の端部に設けた凹部」及び「他方の鎖状の端部に設けた凸部」における「設けた」に相当する。そして、引用発明の「チェーン２の他端」及び「チェーン２の一端」は、それぞれ本体２５及びプラグ２４に接続されるから、それぞれ本願発明の「片方の鎖状の端部」及び「他方の鎖状の端部」に相当する。さらに、引用発明は、本体２５がプラグ２４に設けられた突片２４Ａの根元の段差２４Ｃに引っ掛かるものであり、かつ、プラグ２４がその突片２４Ａの段差２４Ｃに、本体２５における内ケース２７の挿入孔２５Ａ側端が噛み合うものであるから、本体２５とプラグ２４との接続は、噛み合うとともに、引っ掛かるものといえる。すると、引用発明の「ネックレス２１のチェーン２の他端に接続された本体２５と、前記チェーン２の一端に接続されたプラグ２４とを接続しているネックレス２１の留め金２３」は、本願発明の「装飾品の片方の鎖状の端部に設けた凹部と、他方の鎖状の端部に設けた凸部とを噛合わせて係止する方式の止め具」に相当する。
　引用発明の「磁石２４Ｂ」及び「磁石３１」は、互いに吸着するものであるから、両者ともに本願発明の「磁石」に相当し、「吸着部材」にも相当する。また、本願発明の「正しい噛合い位置に誘導できる部位に、互いに吸着する磁石の各一方を、あるいは磁石とこれに吸着される金属材を、それぞれ吸着部材として設け」るという事項は、この出願の明細書の段落【００６】の記載によると、「凹部（５）と凸部（１）が、確実に係止できる位置に双方の吸着部材を配置する」ことを意味していると解されるが、引用発明の「前記プラグ２４の突片２４Ａの先端に設けた磁石２４Ｂを、前記本体２５の挿入孔２５Ａの奥に設けた磁石３１が引き寄せる」という事項において、磁石２４Ｂを、磁石３１が引き寄せ、磁石３１と磁石２４Ｂとが吸着した状態の本体２５及びプラグ２４の位置は、引用文献１の図２の図示内容を考慮すると、本体２５における内ケース２７の挿入孔２５Ａ側端が、プラグ２４における突片２４Ａの段差２４Ｃに確実に噛み合い、確実に引っ掛かる位置であるといえるから、本願発明の「正しい噛合い位置」に相当する。そして、引用発明の磁石３１及び磁石２４Ｂが設けられる部位は、本体２５及びプラグ２４を、これらが確実に噛み合い、確実に引っ掛かる位置まで引き寄せることができる、つまり誘導できる部位ということができるから、本願発明の「これらを正しい噛合い位置に誘導できる部位」に相当する。すると、引用発明の「前記プラグ２４の突片２４Ａの先端に設けた磁石２４Ｂを、前記本体２５の挿入孔２５Ａの奥に設けた磁石３１が引き寄せるネックレス２１の留め金２３」は、本願発明の「前記凹部と前記凸部には、これらを正しい噛合い位置に誘導できる部位に、互いに吸着する磁石の各一方を、あるいは磁石とこれに吸着される金属材を、それぞれ吸着部材として設けた装飾品鎖状の端部の止め具」に相当する。
　引用発明の「外ケース２８」及び「内ケース２７」は、両者ともに本願発明の「顎部材」に相当し、両者を合わせたものが「一対の顎部材」に相当する。また、引用発明において、「前記コイルバネ３０による付勢に抗するように、前記外ケース２８及び前記内ケース２７が押圧された前記本体２５の前記挿入孔２５Ａに前記突片２４Ａが差し込まれ、前記コイルバネ３０による付勢により、前記突片２４Ａの前記段差２４Ｃに前記内ケース２７の挿入孔２５Ａ側端が噛み合う」ことを考慮すると、引用発明の「前記本体２５は、コイルバネ３０により付勢されて、回動軸２６により回動可能に外ケース２８内に内ケース２７が配置され」るという事項は、外ケース２８及び内ケース２７が、回動軸２６により、挿入孔２５Ａを開く方向及び閉じる方向に回動可能に軸支されるものといえ、かつ、コイルバネ３０により、挿入孔２５Ａを閉じる方向に外ケース２８及び内ケース２７が付勢され、コイルバネ３０の付勢に抗して、挿入孔２５Ａを開く方向に外ケース２８及び内ケース２７が押圧されるものといえるから、本体２５がコイルバネ３０により挿入孔２５Ａを閉じる方向に付勢された鰐口状のクリップから構成されているということができ、本願発明の「前記凹部が、一対の顎部材を開口／閉口可能に軸支したバネ閉じ式の鰐口クリップであ」るという事項に相当する。
　引用発明において、「前記本体２５は、コイルバネ３０により付勢されて、回動軸２６により回動可能に外ケース２８内に内ケース２７が配置され、前記プラグ２４に設けられた前記突片２４Ａの根元の段差２４Ｃに引っ掛かるものであ」ることを考慮すると、引用発明の「プラグ２４」は、その突片２４Ａの根元の段差２４Ｃが、本体２５に引っ掛かるものであるから、本願発明の「係止部材」にも相当する。そして、引用発明の「前記プラグ２４は、前記コイルバネ３０による付勢に抗するように、前記外ケース２８及び前記内ケース２７が押圧された前記本体２５の前記挿入孔２５Ａに前記突片２４Ａが差し込まれ、前記コイルバネ３０による付勢により、前記突片２４Ａの前記段差２４Ｃに前記内ケース２７の挿入孔２５Ａ側端が噛み合うものであ」るという事項において、外ケース２８及び内ケース２７が押圧されて開かれた挿入孔２５Ａに、プラグ２４の突片２４Ａが差し込まれ、この時、プラグ２４の突片２４Ａの先端に設けた磁石２４Ｂが、本体２５の挿入孔２５Ａの奥に設けた磁石３１に引き寄せられ、磁石２４Ｂと磁石３１が吸着されるといえるから、プラグ２４は、開かれた外ケース２８と内ケース２７との間に吸着され、嵌まり込んでいるといえる。すると、引用発明の「前記プラグ２４は、前記コイルバネ３０による付勢に抗するように、前記外ケース２８及び前記内ケース２７が押圧された前記本体２５の前記挿入孔２５Ａに前記突片２４Ａが差し込まれ、前記コイルバネ３０による付勢により、前記突片２４Ａの前記段差２４Ｃに前記内ケース２７の挿入孔２５Ａ側端が噛み合うものであ」るという事項は、本願発明の「前記凸部が一対の開口状態の顎部材間に嵌入して係止される係止部材であ」るという事項に相当する。
　引用発明の「前記本体２５の前記挿入孔２５Ａの奥に前記磁石３１を設け」るという事項は、引用文献１の図２の図示内容を考慮すると、本体２５の外ケース２８と内ケース２７との間に磁石３１を設けるものであるから、本願発明の「前記鰐口クリップの内部における一対の顎部材間に一方の吸着部材を設け」るという事項に相当する。
　引用発明の「前記プラグ２４の前記突片２４Ａの先端」は、プラグ２４の突片２４Ａを、本体２５の挿入孔２５Ａに差し込む際、プラグ２４の前方に位置するといえるから、本願発明の「前記係止部材の前方」に相当する。すると、引用発明の「前記プラグ２４の前記突片２４Ａの先端に前記磁石２４Ｂを設け」るという事項は、本願発明の「前記係止部材の前方に他方の吸着部材を設け」るという事項に相当する。
　引用発明の「前記本体２５の前記挿入孔２５Ａの奥に設けた前記磁石３１が、前記外ケース２８に保持されている」という事項は、本願発明の「前記鰐口クリップの内部に設けた吸着部材が、前記一対の顎部材のいずれか一方に設けられてい」るという事項に相当する。
　
　したがって、本願発明と引用発明とは、
「装飾品の片方の鎖状の端部に設けた凹部と、他方の鎖状の端部に設けた凸部とを噛合わせて係止する方式の止め具にあって、前記凹部と前記凸部には、これらを正しい噛合い位置に誘導できる部位に、互いに吸着する磁石の各一方を、あるいは磁石とこれに吸着される金属材を、それぞれ吸着部材として設けた装飾品鎖状の端部の止め具において、前記凹部が、一対の顎部材を開口／閉口可能に軸支したバネ閉じ式の鰐口クリップであり、かつ、前記凸部が一対の開口状態の顎部材間に嵌入して係止される係止部材であり、かつ、前記鰐口クリップの内部における一対の顎部材間に一方の吸着部材を設け、かつ、前記係止部材の前方に他方の吸着部材を設け、かつ、前記鰐口クリップの内部に設けた吸着部材が、前記一対の顎部材のいずれか一方に設けられている装飾品鎖状の端部の止め具。」
　である点で一致し、以下の点で相違する。
　
［相違点］
　本願発明は、「前記鰐口クリップの内部に設けた吸着部材の前方には、前記係止部材の吸着部材が、挿入できるホルダーを備え」ているのに対し、引用発明は、本体２５の挿入孔２５Ａの奥に設けられた磁石３１の前方に、このようなホルダーを備えていない点。
　
第６　判断
（１）相違点について
　以下、前記［相違点］について検討する。
　引用文献２には、前記「第４　２．」の記載事項（１）〜（３）及び図１，図２の図示内容によると、アクセサリの珠玉４の一端に取り付けられ、第１のフレーム２０及び第２のフレーム２１が支軸２２を中心に相互にピボット運動できるような構造になっている筐体２と、珠玉４の他端に取り付けられる挿入部３とを備えるクラスプにおいて、前記筐体２の内部に配置され、マグネット２７が埋め込まれたマグネットホルダ２６が、所定の長さを有する円柱形状の空間であるマグネット挿入部２６ａを有し、マグネット挿入部２６ａに、マグネット３２が埋め込まれた挿入部３のマグネットホルダ３１が挿入される点が記載されている。そして、前記「第４　２．」の記載事項（４）には、クラスプの接続を解除するために、挿入部３を引き抜く際、挿入部３がマグネット挿入部２６ａの内壁部分によってガイドされ、挿入部３が筐体２の開口部２３の周辺に引っ掛かるなどの不都合を生じることなく、安定して筐体２から引き抜かれるという作用効果が記載されている。
　そして、引用発明と、引用文献２に記載された事項とは、装飾用鎖状部材の止め具に関するものである点で技術分野が共通する上、引用文献１の前記「第４　１．（１）」の記載事項エ．に、「高齢者でも容易に着脱してアクセサリーを楽しむことができる。」と記載されているように、引用発明において、留め金２３の接続の解除を容易に行うという課題は、当然、内在しているものである。そして、引用文献２に記載されたマグネット挿入部２６ａを設けることにより、挿入部３がマグネット挿入部２６ａの内壁部分によってガイドされて、挿入部３が筐体２の開口部２３の周辺に引っ掛かることなく、安定して筐体２から引き抜かれるという事項は、引用発明の前記した内在する課題と関連するものであり、引用発明においても、プラグ２４を本体２５から引き抜く際、プラグ２４の突片２４Ａが、内ケース２７の挿入孔２５Ａ側端等に引っ掛かかることはあり得るのだから、本体２５に設けた磁石３１の挿入孔２５Ａ側に、前記内在する課題を改善すべく、引用文献２に記載された事項に基づき、プラグ２４に設けた突片２４Ａ及び磁石２４Ｂを挿入できる磁石挿入部を設けることは当業者が容易に想到し得たものである。
　また、装飾用鎖状部材の止め具の技術分野において、鎖状部材の一端及び他端に設けた磁石同士の吸着が外れにくいものとなるように、一方の磁石の前方に、他方の磁石を挿入できるホルダーを設けることは、引用文献３（前記「第４　３．」の記載事項（１）〜（３）及び図１、図２参照。）や、引用文献４（前記「第４　４．」の記載事項（１）〜（４）及び第１図参照。）に記載されているように、この出願の前から周知の事項である。
　そして、引用発明と、前記周知の事項とは、装飾用鎖状部材の止め具に関するものである点で技術分野が共通する上、引用文献１の前記「第４　１．（１）」の記載事項エ．に「またプラグを本体に取り付けた後には、段差を利用して脱落を防止することができ、これにより外れ難い構成としてアクセサリーを安心して楽しむことができる。」と記載されているように、引用発明は、留め金の脱落を防止するためのものといえるから、引用発明と前記周知の事項とは、鎖状部材の一端及び他端に設けた留め金を外れにくくするためのものである点で共通している。そして、引用発明は、プラグ２４に設けた磁石２４Ｂと、本体２５設けた磁石３１との吸着の他、「前記コイルバネ３０による付勢により、前記突片２４Ａの前記段差２４Ｃに前記内ケース２７の挿入孔２５Ａ側端が噛み合う」ことにより、プラグ２４と本体２５とが接続されるものであるが、外部から大きな力が加わった場合、プラグ２４に設けた磁石２４Ｂと、本体２５設けた磁石３１との吸着が外れ、プラグ２４と本体２５との接続も外れてしまうことはあり得るのだから、引用発明において、本体２５とプラグ２４とが、より外れにくいものとなるように、本体２５に設けた磁石３１の挿入孔２５Ａ側に、前記周知の事項に基づき、プラグ２４に設けた突片２４Ａ及び磁石２４Ｂを挿入できる磁石挿入部を設けることは当業者が容易に想到し得たものである。
　そうすると、引用発明に、引用文献２に記載された事項及び前記周知の事項を適用し、本願発明の前記相違点に係る発明特定事項とすることは当業者が容易に想到し得たものである。
　
（２）請求人の主張について
ア．本願発明の作用効果について
　請求人は、審判請求書、平成３１年４月１０日提出（平成３１年４月１１日受付）の上申書及び令和２年４月６日提出（令和２年４月７日受付）の意見書において、本願発明が「ホルダ受けの直径の長さより大きく開口すれば、完全な開口状態でなくても、引っかかることはなく、スムーズに挿入又は離脱できる」という作用効果を奏する旨、主張している。
　しかしながら、引用発明は、「前記本体２５の前記挿入孔２５Ａの奥に設けた前記磁石３１が、前記外ケース２８に保持されている」ことからみて、本体２５の外ケース２８及び内ケース２７を、コイルバネ３０による付勢に抗するように押圧し、挿入孔２５Ａの大きさをプラグ２４の突片２４Ａの直径より大きくすれば、完全な開口状態でなくても、突片２４Ａが、内ケース２７の挿入孔２５Ａ側端等に引っ掛かかる可能性はあるにしても、その構造上、挿入又は離脱ができるようになることは明らかである。すると、当業者であれば、引用発明から、「ホルダ受けの直径の長さより大きく開口すれば、完全な開口状態でなくても、挿入又は離脱できる」という作用効果を予測できるといえる。
　一方、引用文献２には、前記したように、マグネット挿入部２６ａを設けることにより、挿入部３がマグネット挿入部２６ａの内壁部分によってガイドされて、挿入部３が筐体２の開口部２３の周辺に引っ掛かることなく、安定して筐体２から引き抜かれるという事項が記載されており、また、マグネット挿入部２６ａは、挿入部３の挿入時にもガイドとして機能することは明らかである。すると、当業者であれば、引用文献２に記載された事項から、「引っかかることはなく、スムーズに挿入又は離脱できる」という作用効果を予測できるといえる。
　そして、請求人の主張する作用効果は、引用発明から予測できる「ホルダ受けの直径の長さより大きく開口すれば、完全な開口状態でなくても、挿入又は離脱できる」という作用効果と、引用文献２に記載された事項から予測できる「引っかかることはなく、スムーズに挿入又は離脱できる」という作用効果とを、単に組み合わせたものにすぎず、引用発明及び引用文献２に記載された事項から予測できる作用効果と異質のものとはいえないし、同質であっても際だって優れたものともいえない。すると、請求人の主張する作用効果は、引用発明と引用文献２に記載された事項とを組み合わせることにより、当業者が予測できる範囲のものであって、格別顕著なものとはいえない。
　
イ．引用文献に係る出願の出願人が本願発明を出願していないことについて
　請求人は、審判請求書において、「引用文献１（当審注：本審決の引用文献２。以下、同様。）の人は、特許出願以前にホルダー受けを収納する筒状のホルダーを磁石の前に備えている構造の特開平１０−２６２７１５と合体させる候補として、支持部材の先端に磁石を備えている構造の図面７．８（当審注：令和２年３月２３日付け拒絶理由通知で引用された引用文献５の図７，８。以下、同様。）を採用するか、又は、顎部材間の内側の一方に磁石を備えている構造の図面９．１０（当審注：令和２年３月２３日付け拒絶理由通知で引用された引用文献５の図９，１０。以下、同様。）を採用するかの選択をする機会があった。当然、係合離脱の効果に差がある事に気がついていれば、開口してもスムーズに抜けない事もある発明より、必ずスムーズに係合離脱できる発明を出願したはずである。その後、特許審査を受けた時も、拒絶理由で、特願２００６−５２８９５５の文献の存在を指摘されて、図面７．８．９．１０をもう一度見る機会があった。世界で誰よりもスムーズに係合離脱できる留め具を追及し関心を持っていた引用文献１の人が、図面９．１０を見ても気がつかなかったのに、その他の当業者が気づくはずもない。他の当業者の一例としてあげれば、当業者である引用文献２（当審注：本審決の引用文献１。）の人も気づかなかった。故に、当業者であっても本発明を容易に発見はできない。」旨、主張している。
　しかしながら、他の特定の出願の出願人が、本願発明と同じ発明について、特許出願していないとしても、そのことをもって、当該他の特定の出願の出願人が、本願発明を容易に想到することができなかったとはいえないし、その他の者を含めた当業者が、本願発明を容易に想到することができなかったとは、なおさらいうことができない。
　したがって、請求人の主張は採用できない。
（３）本願発明の作用効果について
　本願発明の作用効果について、請求人が審判請求書等で主張する作用効果については、前記「（２）ア．」で検討したとおりである。
　また、この出願の明細書に記載されている「鰐口クリップ内のバネ材の力を弱くした状態で、凸部の係止部材をどんな方向に引いても抜けなくなった。更に、鰐口クリップの後方を軽い力で閉じる動作をしても、容易に係合離脱出来るようになった。」（段落【００５】）という作用効果についても、前記したように、装飾用鎖状部材の止め具の技術分野において、鎖状部材の一端及び他端に設けた磁石同士の吸着が外れにくいものとなるように、一方の磁石の前方に、他方の磁石を挿入できるホルダーを設けることが周知の事項であることを考慮すると、引用発明及び前記周知の事項から、当業者が予測できる範囲のものであって、格別顕著なものとはいえない。
　すると、本願発明の作用効果は、引用発明、引用文献２に記載された事項及び前記周知の事項から当業者が予測できる範囲のものである。
　
第７　むすび
　したがって、本願発明は、引用発明、引用文献２に記載された事項及び前記周知の事項に基いて、当業者が容易に発明をすることができたものであるから、本願発明は、特許法第２９条第２項の規定により特許を受けることができない。
　そうすると、この出願は、拒絶されるべきものである。
　
　よって、結論のとおり審決する。